(57)【特許請求の範囲】
【請求項１】
データベースを含み、データベース中に複数のデータ列を有し、各データ列が地点名コードに対応し、複数の欄を有し、該欄に避難指示情報を有し、該避難指示情報は、イメージ情報、文字情報、色情報及びサイズ情報を含む保存ユニットと、
建築物の避難経路内に設置され、少なくとも１つの表示内容を呈現又は表示することに用いる複数の表示ユニットと、
該表示ユニット及び該保存ユニットの間に接続され、処理器を含む制御ユニットと、
を含み、
該制御ユニットによって該地点名コードの対応する国家又は地区を選択する時、該処理器は、該データベース中から該地点名コードに対応するデータ列を読み取り、該表示ユニットが複数の欄の避難指示情報に対応する表示内容をロード又は表示し、該避難指示情報は、対応する国家又は地区の法規に適合する、避難指示表示システム。
【請求項２】
前記保存ユニットは、更にイメージ保存モジュールを含み、該イメージ保存モジュールは、複数のイメージデータを保存し、該避難指示情報のイメージ情報は、該イメージに対応する保存位置又は保存経路であることを特徴とする請求項１に記載の避難指示表示システム。
【請求項３】
前記避難指示情報の文字情報は、文字内容、フォント、サイズ、色又はフォーム情報を含むことを特徴とする請求項１に記載の避難指示表示システム。
【請求項４】
請求項１に記載の避難指示表示システムを提供する工程Ａ１０と、
該制御ユニットは、国家又は地区を選択する工程Ａ２０と、
該処理器は、選択された国家又は地区に対応する地点名コードに基づき、該保存ユニットのデータベースから対応するデータ列を読み取る工程Ａ３０と、
該処理器は、該データ列の各欄中の避難指示情報を読み取り又はロードする工程Ａ４０と、
を含む避難指示表示システムの読み取り方法。
【請求項５】
工程Ａ２０と工程Ａ３０の間に更に、該制御ユニットから少なくとも１つの避難指示情報を該データベースの欄内に選択的入力する工程を含むことを特徴とする請求項４に記載の避難指示表示システムの読み取り方法。
【請求項６】
前記読み取り方法は、更に、該表示ユニットが複数の欄の避難指示情報に対応する表示内容を呈現又は表示する工程Ａ５０を含むことを特徴とする請求項４に記載の避難指示表示システムの読み取り方法。
【請求項７】
請求項１に記載の避難指示表示システムを提供する工程Ｂ１０と、
該処理器は、該データ列の欄中の避難指示情報を読み取る工程Ｂ２０と、
該処理器は、該避難指示情報が含む該イメージ情報、該文字情報、該色情報又は該サイズ情報に基づいて避難指示イメージを生成する工程Ｂ３０と、
該処理器は、該避難指示イメージを該表示ユニットに表示またはロードする工程Ｂ４０と、
を含む避難指示イメージ生成表示方法。
【請求項８】
前記工程Ｂ３０の避難指示情報は、イメージ情報であり、且つ該処理器は、該イメージ保存モジュールから対応するイメージ情報を読み取ることを特徴とする請求項７に記載の避難指示イメージ生成表示方法。
【発明の詳細な説明】
【技術分野】
【０００１】
本発明は、避難指示表示システムに関し、特に、異なる地区に応じて該地区の法規に適合し、且つ火事場、地震、ビル倒壊等の多種の異なる災難状況下に適用可能な避難指示表示システムに関する。
【背景技術】
【０００２】
現在、ビル内に普遍的に設置される避難指示灯は、固定方式で安全ドアの位置を静態的に示し、火事場内の人々が安全な避難経路を示す。また、消防員が火災現場に到達する時、消防員は、第１時間に火元を精確に理解して消火を行うことはできず、民衆が往々にして火の勢いを制御した後その所在地が発覚され、救援を行うことができるが、最適救援時間を逃して民衆が濃煙により窒息するか、過度の一酸化炭素を吸入して致死し、更には、建物の倒壊よる圧死に遭う。従って、消防員の経験及び民衆の火災避難に対する常識に頼ることは、火事場の救済及び火の勢いの消火を有効に行うことができない。
【０００３】
また、現在の世界各国の消防法規は、避難指示標識に対して明確な規範を有する。幾つかの国家内では、異なる行政区によって、避難指示標識に対して異なる規範を有する。このように、今までの避難指示灯は、異なる国家に直接適用することはできず、改めて制作を行う必要がある。このように、規模の経済の効果を発揮することができなくなる。
【０００４】
従って、上記問題を如何に解決するかは、当業者が思考するに値することである。
【発明の概要】
【発明が解決しようとする課題】
【０００５】
本発明の目的は、取り付けられる地区に基づいて該地区の消防法規に適合した避難指示イメージを表示することができる避難指示表示システムを提供することにある。
【課題を解決するための手段】
【０００６】
上記目的及びその他の目的に基づき、本発明は、避難指示表示システムを提供し、それは、保存ユニットと、複数の表示ユニット及び制御ユニットを含み、そのうち、該保存ユニットは、データベースを含み、該データベースは、複数のデータ列を有し、各データ列は、地点名コードに対応して複数の欄を有し、該欄に避難指示情報を有し、該避難指示情報は、イメージ情報、文字情報、色情報又はサイズ情報を有し、該複数の表示ユニットは、建築物の避難経路内に設置され、少なくとも１つの表示内容を呈現又は表示することに用いられ、該制御ユニットは、該表示ユニット及び該保存ユニットの間に接続され、該制御ユニットは、処理器を含み、該制御ユニットによって該地点名コードの対応国家又は地区を選択する時、該処理器は、該データベースから該地点名コードに対応するデータ列を読み取り、該表示ユニットは、複数の欄の避難指示情報が対応する表示内容をロードまたは表示し、該避難指示情報は、対応する国家又は地区の法規に適合する。
【０００７】
上記の避難指示表示システムにおいて、該保存ユニットは、イメージ保存モジュールを更に含み、該イメージ保存モジュールは、複数のイメージデータを保存し、該避難指示のイメージ情報は、該イメージに対応する保存位置又は保存経路である。
【０００８】
上記の避難指示表示システムにおいて、該避難指示情報の文字情報は、文字内容、フォント、サイズ又はフォーム情報を含む。
【０００９】
上記目的及びその他の目的に基づき、本発明は、更に、避難指示表示システムの読み取り方法を提供し、それは、前記避難指示表示システムを提供する工程Ａ１０と、該制御ユニットが国家又は地区を選択する工程Ａ２０と、該処理器が選択された国家又は地区に対応する地点名コードに基づき、該保存ユニットのデータベースから対応するデータ列を読み取る工程Ａ３０と、該処理器は、該データ列の各欄中の避難指示情報を読み取り又はロードする工程Ａ４０と、を含む。
【００１０】
上記の避難指示表示システムの読み取り方法において、工程Ａ２０及び工程Ａ３０の間に更に該制御ユニットから少なくとも１つの避難指示情報を該データベースの欄内に選択的に入力する工程を含む。
【００１１】
上記の避難指示表示システムの読み取り方法において、該読み取り方法は、更に、該表示ユニットが複数の欄の避難指示情報が対応する表示内容を呈現又は表示する工程Ａ５０を含む。
【００１２】
上記目的及びその他の目的に基づき、本発明は、更に、避難指示イメージ生成表示方法を提供し、それは、前記避難指示表示システムを提供する工程Ｂ１０と、該処理器が該データ列欄中の避難指示情報を読み取る工程Ｂ２０と、該処理器が該避難指示情報に含まれる該イメージ情報、該文字情報、該色情報又は該サイズ情報に基づき、避難指示イメージを発生する工程Ｂ３０と、該処理器が該避難指示イメージを該表示ユニットに表示またはロードする工程Ｂ４０と、を含む。
【００１３】
上記避難指示イメージ生成表示方法において、工程Ｂ３０の避難指示情報は、イメージ情報であり、且つ該処理器は、該イメージ保存モジュールから対応するイメージ情報を読み取る。
【発明の効果】
【００１４】
本発明の有益効果は、本発明が記載する避難指示表示システム及びその読み取り方法、及び対応する避難指示イメージ生成表示方法が、世界各国の消防法規に合わせて、如何なる言語文字、国家、地区、都市であるかに関わらず、何れも生産業者に本発明の避難指示表示システムの生産前、先ず、各国の避難指示イメージ、文字及びその関連規定を、データベースの内容によって確立し、容易に設定でき、その表示ユニットによって、各国の消防法規に適合するイメージ又は様式を表示、呈現させることができるということである。
【図面の簡単な説明】
【００１５】
【図１】本発明の避難指示表示システムのブロック図である。
【図２】本発明の避難指示表示システムの設定工程図である。
【図３Ａ】本発明の避難指示表示システムの表示ユニット及びその相対する避難指示情報説明図である。
【図３Ｂ】データベースの内容の説明図である。
【図３Ｃ】避難方向指示装置の指示イメージの説明図である。
【図４】本発明のスマート防火避難システムの機能ブロック図である。
【図５】本発明の避難方向指示装置の立体図である。
【図６】スマート防火避難システムの取り付け使用説明図である。
【図７】中華民国の避難指示のパターンである。
【図８】避難方向指示装置の設定方法の工程フロー図である。
【発明を実施するための形態】
【００１６】
本発明の上記目的、特徴及び利点を更に分かりやすくするため、以下に好適実施例を挙げ、図面に合わせ、詳細な説明を行う。注意すべき点とし、図中の各部材は、ただ説明用であって、各部材の実際の比率に基づいて示されるものではない。
【００１７】
図１を参照し、図１が示すのは、本発明の避難指示表示システム２００のブロック図である。本発明の避難指示表示システム２００は、異なる地区によって該地区の法規に適合し、且つ火事場、地震、ビル倒壊等の多種の異なる災害状況に応用又は使用可能な避難表示または誘導を表示することができる。該避難指示表示システム２００は、制御ユニット２１０、保存ユニット２２０、及び表示ユニット２３０を含む。制御ユニット２１０は、例えば、サーバであり、保存ユニット２２０及び表示ユニット２３０の間に接続され、ユーザは、制御ユニット２１０に１つの国家、地区又は都市を選択又は指定することができる。制御ユニット２１０中に処理器２１１を設置し、ユーザの制御ユニット２１０上で行う操作指令を演算することに用いる。保存ユニット２２０中にデータベース２２１及びイメージ保存モジュール２２２を設ける。図３Ｂを参照し、図３Ｂが示すのは、データベース２２１の内容説明図である。データベース２２１は、複数のデータ列２１１１を保存し、且つ各複数のデータ列２１１１は、１つの地点名コードに対応し、これら地点名コードは、インターネットの国名略記を採用し、例えば、図３Ｂ中の「ＴＷ」は、中華民国を表す。「ＩＤ」は、インドネシアを表し、「ＶＮ」は、ベトナムを表す等であり、これらの地点名コードは、ユーザの制御ユニット２１０上で選択した国家、地区又は都市に対応する。データ列２１１１中に複数のデータの欄を有し、各欄において、異なる避難指示情報２１１２を保存し、該避難指示情報２１１２は、図３Ａ、図３Ｃの表示ユニット２３０の表示内容を制御、対応することに用いられる。該表示ユニット２３０の表示内容は、これに限定するものではないが、該表示ユニット２３０中の各部位の長さ、幅、高さ、間隔の大きさ又はフレームのサイズパラメータ、該表示ユニット２３０内のパネルのベース色、ピクセル（pixel）、カラースケールパラメータ、又は該表示ユニット２３０内の区域Ａ、区域Ｂ、区域Ｃのイメージ取得経路を含む。また、該イメージ保存モジュール２２２中には、多種の異なる国家消防法規に適合したイメージが保存され（図３Ｃで示す矢印、人型図又は文字等）、これらイメージは、避難指示表示情報２１１２内のイメージ取得経路の欄に対応する。
【００１８】
図２を参照し、図２が示すのは、避難指示表示システム２００のデータ読み取り、イメージ生成及び表示の工程図である。先ず、本発明の避難指示表示システム２００を提供する（工程Ｓ２１）。その後、制御ユニット２１０において、都市、国家又は地区、例えば、中華民国、インドネシア又はベトナム等を選択又は自ら入力し（工程Ｓ２２）、選択した都市、国家又は地区がデータベース２２１に保存されていなければ、ユーザは、該制御ユニット２１０によって選択的に人工方式で某特定の避難指示情報２１１２を入力し（即ち、新しい都市/国家が対応するデータ列２１１１を新設）、それが入力する特定避難指示情報２１１２は、対応する各欄の中に保存される。また、該制御ユニット２１０又は処理器２１１は、該地点名コード（即ち、選択された国家又は地区）に基づいて対応する地点名コードを有するデータ列２１１１を読み取り、例えば、中華民国を選択する場合、該地点名コードが「ＴＷ」のデータ列２１１１を読み取る（工程Ｓ２３）。続いて、該制御ユニット２１０又は処理器２１１は、「ＴＷ」のデータ列２１１１中に有する避難指示情報２１１２を読み取り、その全ての欄の内容を表示ユニット２３０にロードし、該表示ユニット２３０に避難指示イメージを生成させ（工程Ｓ２４）、イメージ生成方式は、後述する。それから、処理器２１１は、避難指示イメージを表示ユニット２３０に表示する（工程Ｓ２５）。
【００１９】
図３Ａ及び図３Ｂを参照し、図３Ａが示すのは、本発明の避難指示表示システムの表示ユニット及びそれが対応する避難指示情報説明図である。以下に処理器２１１が保存ユニット２２０を読み取る方式を説明する。例えば、ユーザが制御ユニット２１０において中華民国を選択し、処理器２１１は、コードが「ＴＷ」であるデータ列２１１１を読み取り、且つ「ＴＷ」の対応データ列２１１１中の各欄の避難指示表示情報２１１２をロードし、これら避難指示情報２１１２を図３Ａの表示ユニット２３０中の各対応する位置に入れる。詳細に説明すると、該処理器２１１は、コード「ＴＷ」のデータ列２１１１を読み取り、そのＡ欄中の避難指示情報２１１２は、「図Ｔ−１」、「図Ｔ−１」は、イメージ情報を指し、従って、該処理器２１１は、「図Ｔ−１」を読み取る時、イメージ保存モジュール２２２中の対応する読み取り経路中から文書名「図Ｔ−１」のイメージを読み取り、該「図Ｔ−１」イメージを図３Ａ中の区域Ａの位置に入れ、即ち、図３Ａの区域Ａ及び図３Ｂの欄Ａは相互に対応する。また、該データベース２２１のＡＤ１欄中の避難指示情報２１１２が「３」を表示し、図３Ａ中の区域Ａのイメージが底部フレームから離れる距離が３ｃｍであり、即ち、図３Ａの区域Ａ下方のフレーム距離及び図３ＢのＡＤ１欄が相互に対応する。同様に、ＡＤ２欄中の避難指示情報２１１２が「３」を表示し、図３Ａ中の区域Ａ中のイメージが左辺フレームから離れる距離は、３ｃｍを呈し、即ち、図３Ａの区域Ａの左側のフレームの距離及び図３ＢのＡＤ２欄は、相互に対応する。言い換えれば、Ａ欄、ＡＤ１欄及びＡＤ２欄中の避難指示情報２１１２の内容は、該区域Ａ中のイメージ及び位置情報を制御することに用いられる。同様に、Ｂ欄、ＢＤ１欄及びＢＤ２欄中の避難指示情報２１１２は、区域Ｂ中のイメージ及び位置情報を表し、Ｃ欄、ＣＤ１欄及びＣＤ２欄中の避難指示情報２１１２は、区域Ｃ中のイメージ及び位置情報を表す。続いて、「ＴＷ」のデータ列２１１１を例とし、そのＷ欄中の避難指示情報２１１２が「３０」であり、図３Ａの表示ユニット２３０の指示イメージの全体の幅が３０ｃｍであることを表し、Ｈ欄中の避難指示情報２１１２は「１５」であり、該表示ユニット２３０の指示イメージの全体の高さが１５ｃｍであることを表す。また、図３ＢのＲ欄、Ｇ欄及びＢＬ欄は、三種の原色、赤、緑、青を表し、Ｒ欄、Ｇ欄及びＢＬ欄中の避難指示情報２１１２は、この三種の色の飽和度を表し、飽和度の数値の最小値が０であり、最大値が２５５である。処理器２１１は、某データ列２１１１のＲ欄、Ｇ欄及びＢＬ欄の数値を読み取る時、赤緑青の三原色中の各色彩の飽和度を確定することができ、該表示ユニット２３０内の指示イメージ中に表示されるベース色を決定する。
【００２０】
図３Ｃを参照し、図３Ｃが示すのは、避難方向指示装置の指示イメージの説明図である。処理器２１１は、「ＴＷ」データ列２１１１中の避難指示情報２１１２を図３Ａの表示ユニット２３０中の各位置に入れた後、図３Ｃに示されるような避難指示イメージを生成する。これにより、該表示ユニット２３０は、「ＴＷ」データ列２１１１中の複数の欄の避難指示情報２１１２が対応する表示内容を呈現又は表示することができる。故に、該避難指示表示システム２００の表示ユニット２３０は、「避難方向指示装置」とすることができ、該表示ユニット２３０上で表示、呈現される指示イメージを利用して火事場からの避難を誘導する。
【００２１】
更なる実施例において、避難指示情報２１１２は、上記イメージ、サイズ及び色の上方以外、文字情報を含む。即ち、該表示ユニット２３０の区域Ａは、「文字」の内容を表示することもできる。例えば、図３Ｂに示すように、「ＴＷ」のデータ列２１１１のうちＣ欄の内容が「文字」である時、該処理器２１１は、ＷＤ欄、ＷＳ欄、ＷＦ欄及びＷＦＭ欄を読み取る。ここでは、ＷＤ欄は、文字の内容を表し、ＷＳ欄は、文字の大きさを表し、ＷＦＭ欄は、文字のフォームを表し、ＷＦ欄は、文字のフォントを表す。即ち、Ｃ欄中の内容が「文字」である時、ＷＤ欄が「緊急出口」であり、ＷＳ欄が「４０」であり、ＦＷＭ欄が「Ｂｏｌｄ」であり、ＷＦ欄が「Ｍｉｃｒｏｓｏｆｔ  ＪｈｅｎｇＨｅｉ」であれば、処理器２１１は、大きさが４０Ｐｔ、フォントがマイクロソフト正黒体であり、太字の「緊急出口」という文字パターンを生成し、該特定フォームの「緊急出口」文字パターンを該表示ユニット２３０の区域Ｃのうちに表示し、該表示ユニット２３０内に「緊急出口」の文字内容を表示するよう制御することに用いられる（図３Ｃ参照）。
【００２２】
また、データ列２１１１中の欄は、空白である場合、ユーザは、データを手動入力することができ、処理器２１１は、使用者の要求に基づいて、某特定データ又は内容を該データベース２２１内に入力し、異なる避難指示パラメータに対応し、該表示ユニット２３０の呈現、表示方式を制御することに用いられる。又は、データ列２１１１を新設することもでき、そのコード及び欄内容は、何れも使用者が自ら入力でき、これにより、データベース２２１中のデータを補充する。注意すべきこととして、図３Ａ及び図３Ｂに示す各欄及びデータは、説明のために列挙するものである。従って、データ列２１１１は、更に多くの欄及びデータを含むことができ、例えば、各種異なる寸法の避難指示イメージの避難指示情報２１１２を合わせるため、該データ列２１１１中にＢＡ欄、ＭＡ欄及びＳＡ欄を更に含むことができ、それは、それぞれ大サイズ、中サイズ及び小サイズのイメージに対応する。実務上、該データ列２１１１に含まれる欄及び避難指示情報２１１２は、該避難指示表示システム２００の生産業者が各国の消防法規に基づいて入力、設定することができる。
【００２３】
続いて、本発明の避難指示表示システム２００をスマート防火避難システム１００に実際に応用した実施例を紹介する。図４〜図６を同時に参照し、図４に示すのは、スマート防火避難システム１００の機能ブロック図であり、図５が示すのは、本発明の避難方向指示装置の立体図である。図４において、該スマート防火避難システム１００は、複数のセンサ１１０、複数の表示ユニット２３０、及びサーバ１２０を含む。そのうち、センサ１１０は、建築物１０の避難経路１２内に設置される（図６参照）。センサ１１０は、異常状況をセンシングした時（例えば、発火、温度急上昇、又は濃煙の濃度上昇）、アラート信号を発する。本実施例において、センサ１１０は、有線又は無線のセンサである。また、表示ユニット２３０も建築物１０の避難経路１２内に設置されるか、出口位置に配置される（図６参照）。
【００２４】
また、サーバ１２０は、通信ユニット１２２、保存ユニット２２０、及び制御ユニット２１０を含み、制御ユニット２１０中に処理器２１１を設ける。そのうち、該通信ユニット１２２は、有線、無線又は電気的方式により、該センサ１１０及び該表示ユニット２３０に接続又は結合され、該センサ１１０及び表示ユニット２３０に通信接続又はデータ通信の目的を達成させることができる。
【００２５】
更に、該保存ユニット２２０は、建築物１０の主体構造図及び上記のデータベース２２１を保存する。スマート防火避難システム１００が取り付けられた後、使用者は、サーバ１２０中の制御ユニット２１０により該スマート防火避難システム１００が位置する地区を設定し、このように、サーバ１２０は、データベース２２１から該地区に対応するデータ列２１１１を選択する。例えば、スマート防火避難システム１００がベトナムに取り付けられる場合、ベトナムを表す「ＶＮ」データ列２１１１を選択する。続いて、サーバ１２０中の処理器２１１は、「ＶＮ」の対応するデータ列２１１１中の避難指示情報２１１２に基づき、対応する避難指示イメージを生成し、各表示ユニット２３０にベトナム法規に適合した避難指示イメージを表示させる。また、サーバ１２０は、スマート防火避難システム１００の所在位置を自動検出することもでき、例えば、ネットワークアドレス（ＩＰ位置）は、現在の所在位置を判断するか、又は位置検出器（例えばＧＰＳ機器）を取り付けることでスマート防火避難システム１００の所在位置を検出することもできる。
【００２６】
継続して図４を参照し、処理器２１１は、上記通信ユニット１２２に電気接続する。火災発生時、処理器２１１は、通信ユニット１２２により各センサ１１０が発するアラート信号を受信する。その後、処理器２１１は、避難指示情報及び制御信号を発生することができ、通信ユニット１２２によって避難指示信号及び制御信号を表示ユニット２３０に伝送し、該表示ユニット２３０に対応する避難指示イメージを表示させる。
【００２７】
図４及び図６を参照し、図６は、スマート防火避難システムの取り付け使用の説明図である。図６に示すように、該表示ユニット２３０は、通信ユニット１２２により各センサ１１０が発するアラート信号を受信し、該フロアの東北箇所の出口（即ち、図６の右上方の箇所）に火災アラートがありその出口をブロックしている時、該処理器２１１は、最適な避難経路を計算する。該フロアにある表示ユニット２３０は、該通信ユニット１２２によって該サーバ１２０又は該制御ユニット２１０が発する避難指示情報及び制御信号を受信し、該表示ユニット２３０により適切、正確な避難方向を表示し、該フラの人員を安全な西北箇所の出口（図６の左上の出口）へ誘導する。一般的に、該表示ユニット２３０は、避難経路１２の壁上に設置するか、床に嵌め込み、避難方向を指向することができる。
【００２８】
図８を参照し、図８が示すのは避難方向指示装置の設定方法の工程フロー図である。本発明のスマート防火避難システム１００は、該保存ユニット２２０中にデータベース２２１を設立し、該データベース２２１に異なる国家又は地区に対応するデータ列２１１１を持たせることができる。表示ユニット２３０に該スマート防火避難システム１００が取り付け、設置される地区に基づき、該地区の消防法規に適合した避難指示イメージを表示させることができる。以下は、本発明のスマート防火避難システム１００の設定方法である。
【００２９】
先ず、表示ユニット２３０（工程Ｓ１１）を取り付け又は設置する。それから、サーバ１２０を設置し、表示ユニット２３０及びサーバ１２０に通信を確立又は電気接続する（工程Ｓ１２）。続いて、該サーバ１２０及び該表示ユニット２３０の所在位置を設定する（工程Ｓ１３）。サーバ１２０及び表示ユニット２３０の位置を設定する時、異なる国家を選択できる（該国家が地区により消防法規が異なる場合、国家を選択後に異なる地区を選択する、例えば、フィリピンを選択した後、マニラを選択する）。また、サーバ１２０及び表示ユニット２３０は、位置検出器によって該サーバ１２０及び表示ユニット２３０の所在位置を自動検出又は取得し、位置検出器は、衛生位置決め又はインターネット位置決めの方式でサーバ１２０及び表示ユニット２３０の所在位置を確定する。その後、サーバ１２０は、データベース２２１からサーバ１２０及び表示ユニット２３０の所在地区に対応する一組のデータ列２１１１を選択し、データ列２１１１中に保存された避難指示情報２１１２に基づき、避難指示イメージを生成する（工程Ｓ１４）。続いて、サーバ１２０は、該避難指示イメージを表示ユニット２３０の保存モジュール１３４中に伝送、保存する（工程Ｓ１５）。このように、表示ユニット２３０は、該保存モジュール１３４内の避難指示情報２１１２をロードし、設置地区に適合する避難指示イメージを対応して表示する（工程Ｓ１６）。例えば、工程Ｓ１３において、中華民国を選択する場合、表示ユニット２３０は、中華民国の消防法規に適合した避難指示イメージ、即ち、図７に示すような避難指示イメージを表示する。工程Ｓ１３において、ベトナムを選択する場合、表示ユニット２３０は、ベトナムの消防法規に適合した避難指示イメージを表示する（ベトナム語で標示する、図示せず）。
【００３０】
上記を総合し、本発明の避難指示表示システム２００及びその応用のスマート防火避難システム１００は、異なる設置地区に基づいて変換し、現地の消防法規に適合する避難指示イメージを表示することができる。従って、該避難指示表示システム２００又は該スマート防火避難システム１００は、異なる地区に設置される時、設計し直す必要がなく、避難指示表示システム２００をより多くの異なる地区に適用可能にすることができる。
【００３１】
上記は、本発明の好適実施例であり、本発明の特許請求の範囲に基づいて行う等価な変化及び修飾は何れも本発明の範疇に属するものである。
【符号の説明】
【００３２】
１０  データベース
１００  スマート防火避難システム
１１０  センサ
１２  避難経路
１２０  サーバ
１２２  通信ユニット
２００  避難指示表示システム
２１０  制御ユニット
２１１  処理器
２１１１  データ列
２１１２  避難指示情報
２２０  保存ユニット
２２１  データベース
２２２  イメージ保存モジュール
２３０  表示ユニット
【図１】
0006539842.tif 000002
【図２】
0006539842.tif 000003
【図３Ａ】
0006539842.tif 000004
【図３Ｂ】
0006539842.tif 000005
【図３Ｃ】
0006539842.tif 000006
【図４】
0006539842.tif 000007
【図５】
0006539842.tif 000008
【図６】
0006539842.tif 000009
【図７】
0006539842.tif 000010
【図８】
0006539842.tif 000011